(57)【要約】【課題】ケースに取り付けられるスペーサによって実現されていた機能をより簡易な構成で実現できるようにしたレンズ駆動装置を提供すること。【解決手段】本発明の実施形態に係るレンズ駆動装置１０１は、外周壁部４Ｇと天板部４Ｂとを有するケース４と、ベース部材１８と、レンズ保持部材２と、コイル３と、磁石５と、外側部分１６ｅ、内側部分１６ｉ及び弾性腕部１６ｇを有する上側板ばね１６と、を備えている。ケース４は、平面視において矩形状に形成されている。天板部４Ｂの４つの角部にはベース部材１８の側へ窪んだ凹部４Ｃがそれぞれ形成されている。第４磁石５Ａ４は、第３凹部４Ｃ３と第４凹部４Ｃ４との間の距離Ｄ３よりも長く延在している。上側板ばね１６は、外側部分１６ｅの一部である第４挟持部分ＣＸ４が凹部４Ｃと磁石５との間に挟持された状態で、外側部分１６ｅの別の一部である第４角部分１６ｂ４が第４凹部４Ｃ４に接着剤ＡＤ１で固定されている。【選択図】図１７
2020148972.tif 000002
【特許請求の範囲】
【請求項１】
４つの側板部を含む筒状の外周壁部と前記外周壁部の一端部に設けられた天板部とを有するカバー部材と、
前記カバー部材の前記天板部と対向するベース部材と、
前記カバー部材と前記ベース部材とを含む筐体内に位置してレンズ体を保持可能なレンズ保持部材と、
前記レンズ保持部材に保持されたコイルと、
前記コイルに対向する磁石と、
前記カバー部材に固定される固定側支持部、前記レンズ保持部材に固定される可動側支持部、及び、前記固定側支持部と前記可動側支持部との間に設けられた弾性腕部を有し、前記レンズ保持部材を光軸方向へ移動可能に支持する板ばねと、
を備えたレンズ駆動装置であって、
前記カバー部材は、平面視において矩形状に形成されているとともに、前記天板部の４つの角部に、前記ベース部材側へ窪んだ凹部がそれぞれ形成されており、
前記磁石は、隣り合う２つの前記凹部の間の距離よりも長く延在しており、
前記板ばねは、前記固定側支持部の一部が前記凹部と前記磁石との間に挟持された状態で、前記固定側支持部が前記凹部に接着剤で固定されていることを特徴とするレンズ駆動装置。
【請求項２】
前記板ばねの前記固定側支持部は、矩形枠状に形成されており、４つの角部分のそれぞれに貫通孔が形成されるとともに、前記凹部のうちの、前記貫通孔から露出している部分と、前記固定側支持部のうちの、前記貫通孔の周囲にある部分と、に接着剤が付着している、
請求項１に記載のレンズ駆動装置。
【請求項３】
前記貫通孔は、非円形状をなしている、
請求項２に記載のレンズ駆動装置。
【請求項４】
前記貫通孔は、長方形をなし、前記長方形の長辺が前記側板部に対して斜めに延びるように配置されている、
請求項３に記載のレンズ駆動装置。
【請求項５】
前記板ばねは、前記側板部に対向する辺部分を有し、
前記辺部分は、前記側板部に向かって張り出した部分を有する幅広部を含む、
請求項１乃至４の何れかに記載のレンズ駆動装置。
【請求項６】
前記凹部は、前記天板部の前記角部から前記側板部に沿って延在する延在凹部を有し、
前記磁石の延在方向における端部の前記板ばねとの接触面は、前記板ばねを挟んで前記延在凹部に対向している、
請求項１乃至５の何れかに記載のレンズ駆動装置。
【請求項７】
前記弾性腕部の付け根は、前記磁石の上面に接するように配置される前記板ばねのうちの、隣り合う２つの前記凹部の間にある位置から内側に向かって延びる、
請求項１乃至６の何れかに記載のレンズ駆動装置。
【請求項８】
請求項１乃至７の何れかに記載のレンズ駆動装置と、
前記レンズ体と、
前記レンズ体に対向する撮像素子と、を有する、
カメラモジュール。
【請求項９】
４つの側板部を含む筒状の外周壁部と前記外周壁部の一端部に設けられた天板部とを有するカバー部材と、
前記カバー部材の前記天板部と対向するベース部材と、
前記カバー部材と前記ベース部材とを含む筐体内に位置してレンズ体を保持可能なレンズ保持部材と、
前記レンズ保持部材に保持されたコイルと、
前記コイルに対向する磁石と、
前記カバー部材に固定される固定側支持部、前記レンズ保持部材に固定される可動側支持部、及び、前記固定側支持部と前記可動側支持部との間に設けられた弾性腕部を有し、前記レンズ保持部材を光軸方向へ移動可能に支持する板ばねと、
を備えたレンズ駆動装置の製造方法であって、
平面視において矩形状に形成されているとともに、前記天板部の４つの角部に前記ベース部材側へ窪んだ凹部がそれぞれ形成された前記カバー部材の内部に前記板ばねを入れて、前記凹部と前記板ばねの前記固定側支持部の一部とを接触させる挿入工程と、
隣り合う２つの前記凹部の間の距離よりも長く延在する前記磁石を前記カバー部材の内部に入れて、前記固定側支持部の一部を前記凹部と前記磁石とで挟持する挟持工程と、
前記磁石を前記カバー部材に接着剤で固定する固定工程と、
を有することを特徴とするレンズ駆動装置の製造方法。
【請求項１０】
前記板ばねの前記固定側支持部は、矩形枠状に形成されており、
前記固定側支持部における４つの角部分のそれぞれには貫通孔が形成されており、
当該製造方法は、前記凹部と前記貫通孔とに付着するように接着剤を塗布する塗布工程を有する、
請求項９に記載のレンズ駆動装置の製造方法。
【請求項１１】
前記貫通孔は、長方形をなし、前記長方形の長辺が前記側板部に対して斜めに延びるように配置されている、
請求項１０に記載のレンズ駆動装置の製造方法。
【請求項１２】
前記固定工程は、前記磁石と前記カバー部材の前記側板部とに付着するように接着剤を塗布する工程と、前記接着剤を硬化させる工程とを含む、
請求項９乃至１１の何れかに記載のレンズ駆動装置の製造方法。
【請求項１３】
前記凹部は、前記天板部の前記角部から前記側板部に沿って延在する延在凹部を有し、
前記磁石の延在方向における端部の前記板ばねとの接触面は、前記板ばねを挟んで前記延在凹部に対向している、
請求項９乃至１２の何れかに記載のレンズ駆動装置の製造方法。
【発明の詳細な説明】
【技術分野】
【０００１】
本開示は、例えばカメラ付き携帯機器等に搭載されるレンズ駆動装置、レンズ駆動装置を含むカメラモジュール、及び、レンズ駆動装置の製造方法に関する。
【背景技術】
【０００２】
従来、レンズホルダ（レンズ保持部材）と、レンズ保持部材の外周に配置されるコイルと、レンズ保持部材を光軸方向に移動可能に支持する板ばねと、を含むレンズ駆動装置が知られている（特許文献１参照。）。
【０００３】
このレンズ駆動装置では、レンズ保持部材の上側に配置される上側板ばねと、箱状のヨーク（カバー部材）の内側の天井面との間にスペーサが配置されている。このスペーサは、レンズ保持部材が上方に移動したときに、ヨークの天井面と上側板ばねとが接触してしまうのを防止する役割を果たしている。
【先行技術文献】
【特許文献】
【０００４】
【特許文献１】特開２０１３−１０９２３１号公報
【発明の概要】
【発明が解決しようとする課題】
【０００５】
しかしながら、上述の構成は、スペーサが必要なため、部品点数の増大、組み立て工数の増大及び製造コストの増大をもたらすおそれがある。
【０００６】
そこで、カバー部材に取り付けられるスペーサによって実現されていた機能をより簡易な構成で実現できるようにしたレンズ駆動装置を提供することが望ましい。
【課題を解決するための手段】
【０００７】
本発明の実施形態に係るレンズ駆動装置は、４つの側板部を含む筒状の外周壁部と前記外周壁部の一端部に設けられた天板部とを有するカバー部材と、前記カバー部材の前記天板部と対向するベース部材と、前記カバー部材と前記ベース部材とを含む筐体内に位置してレンズ体を保持可能なレンズ保持部材と、前記レンズ保持部材に保持されたコイルと、前記コイルに対向する磁石と、前記カバー部材に固定される固定側支持部、前記レンズ保持部材に固定される可動側支持部、及び、前記固定側支持部と前記可動側支持部との間に設けられた弾性腕部を有し、前記レンズ保持部材を光軸方向へ移動可能に支持する板ばねと、を備えたレンズ駆動装置であって、前記カバー部材は、平面視において矩形状に形成されているとともに、前記天板部の４つの角部に、前記ベース部材側へ窪んだ凹部がそれぞれ形成されており、前記磁石は、隣り合う２つの前記凹部の間の距離よりも長く延在しており、前記板ばねは、前記固定側支持部の一部が前記凹部と前記磁石との間に挟持された状態で、前記固定側支持部が前記凹部に接着剤で固定されている。
【発明の効果】
【０００８】
上述の手段により、スペーサによって実現されていた機能をより簡易な構成で実現できるようにしたレンズ駆動装置が提供される。
【図面の簡単な説明】
【０００９】
【図１】レンズ駆動装置の分解斜視図である。
【図２】レンズ駆動装置の上方斜視図及び正面図である。
【図３】レンズ駆動装置の上面図及び底面図である。
【図４】ケースが取り外された状態にあるレンズ駆動装置の上方斜視図及び正面図である。
【図５】レンズ保持部材の上方斜視図である。
【図６】レンズ保持部材の下方斜視図である。
【図７】レンズ保持部材の上面図及び正面図である。
【図８】レンズ保持部材の下方斜視図である。
【図９】レンズ保持部材の一部の拡大図である。
【図１０】一部の部材が省略された状態にあるレンズ駆動装置の底面図である。
【図１１】上側板ばねの上面図及び下側板ばねの上面図である。
【図１２】レンズ駆動装置における板ばねとコイルとの接続の一例を説明する図である。
【図１３】ベース部材の上方斜視図である。
【図１４】上部組立体の分解斜視図及び組立図である。
【図１５】ケースにおける凹部及び隅部の拡大斜視図である。
【図１６】ケースにおける凹部及び隅部の拡大底面図である。
【図１７】上部組立体の一部の底面図である。
【図１８】上部組立体の一部の底面図である。
【発明を実施するための形態】
【００１０】
以下、本発明の実施形態に係るレンズ駆動装置１０１について図面を参照して説明する。図１は、レンズ駆動装置１０１の分解斜視図である。図２（Ａ）は、レンズ駆動装置１０１の上方斜視図であり、図２（Ｂ）は、Ｙ２側から見たレンズ駆動装置１０１の正面図である。図３（Ａ）は、レンズ駆動装置１０１の上面図であり、図３（Ｂ）は、レンズ駆動装置１０１の底面図である。図４（Ａ）は、ケース４を取り外した状態のレンズ駆動装置１０１の上方斜視図であり、図２（Ａ）に対応する。図４（Ｂ）は、Ｙ２側から見た、ケース４を取り外した状態のレンズ駆動装置１０１の正面図である。
【００１１】
レンズ駆動装置１０１は、図１に示すように、レンズ体ＬＳを保持可能なレンズ保持部材２と、レンズ保持部材２をレンズ体ＬＳに関する光軸方向ＪＤ（Ｚ軸方向）に沿って移動させる駆動機構ＭＫと、レンズ保持部材２を光軸方向ＪＤに移動可能に支持する支持部材としての板ばね６と、板ばね６が固定される固定側部材ＲＧとを含む。レンズ体ＬＳは、例えば、少なくとも１枚のレンズを備えた筒状のレンズバレルであり、その中心軸線が光軸方向ＪＤに沿うように構成されている。光軸方向ＪＤは、レンズ体ＬＳに関する光軸の方向、及び、光軸に平行な方向を含む。
【００１２】
駆動機構ＭＫは、図１に示すように、環状に巻かれたコイル３と、コイル３と対向して配置された４つの磁石５とを含む。固定側部材ＲＧは、カバー部材としての矩形箱状のケース４と、金属部材７が埋め込まれたベース部材１８とを含む。
【００１３】
金属部材７は、図３（Ｂ）に示すように、外部との電気的な接続をもたらす端子７Ａ及び７Ｂを含む。板ばね６は、レンズ保持部材２とケース４との間に配置される上側板ばね１６と、レンズ保持部材２とベース部材１８との間に配置される下側板ばね２６と、を含む。下側板ばね２６は、下側板ばね２６Ａ及び下側板ばね２６Ｂを含む。
【００１４】
ケース４は、図２（Ａ）に示すように、ベース部材１８に結合されてベース部材１８とともに筐体を構成する。ケース４は、矩形環状の外周壁部４Ｇと、外周壁部４Ｇの上端（Ｚ１側の端）と連続するように設けられた、角部を除いて平板状の天板部４Ｂとを有する。天板部４Ｂの４つの角部のそれぞれには、ベース部材１８側（Ｚ２側）へ窪んだ凹部４Ｃが形成されているためである。
【００１５】
凹部４Ｃは、天板部４Ｂの平板状の面から下方（Ｚ２方向）に窪むように形成されている。凹部４Ｃの天井面である下面（Ｚ２側の面）と磁石５の上面（Ｚ１側の面）との間で上側板ばね１６を挟持するためである。具体的には、凹部４Ｃは、図２（Ａ）に示すように、天板部４Ｂの角部に対応する角凹部ＣＲと、角凹部ＣＲから側板部４Ａに沿って延びる２つの延在凹部ＥＲと、を有する。図２（Ａ）は、凹部４Ｃのうちの１つである第１凹部４Ｃ１の２つの延在凹部ＥＲと１つの角凹部ＣＲとを示している。
【００１６】
外周壁部４Ｇは、平板状に形成された４つの側板部４Ａと曲板状に形成された４つの隅部４Ｒとを備えている。具体的には、側板部４Ａは、互いに対向する第１側板部４Ａ１及び第３側板部４Ａ３と、第１側板部４Ａ１及び第３側板部４Ａ３のそれぞれに垂直で且つ互いに対向する第２側板部４Ａ２及び第４側板部４Ａ４とを有する。第１側板部４Ａ１及び第３側板部４Ａ３のそれぞれと第２側板部４Ａ２及び第４側板部４Ａ４のそれぞれとは、典型的には、互いに垂直である。そして、隣り合う２つの側板部４Ａの間には、両者を繋ぐ隅部４Ｒが存在する。隅部４Ｒの上端は、天板部４Ｂの四隅を構成する角部に形成された凹部４Ｃに繋がっている。具体的には、隅部４Ｒは、曲板状に形成されており、第１隅部４Ｒ１〜第４隅部４Ｒ４を含む。凹部４Ｃは、第１凹部４Ｃ１〜第４凹部４Ｃ４を含む。第１隅部４Ｒ１は、第１側板部４Ａ１と第２側板部４Ａ２との間に配置され、且つ、第１凹部４Ｃ１の角凹部ＣＲに繋がっている。第２隅部４Ｒ２は、第２側板部４Ａ２と第３側板部４Ａ３との間に配置され、且つ、第２凹部４Ｃ２の角凹部ＣＲに繋がっている。第３隅部４Ｒ３は、第３側板部４Ａ３と第４側板部４Ａ４との間に配置され、且つ、第３凹部４Ｃ３の角凹部ＣＲに繋がっている。第４隅部４Ｒ４は、第４側板部４Ａ４と第１側板部４Ａ１との間に配置され、且つ、第４凹部４Ｃ４の角凹部ＣＲに繋がっている。
【００１７】
天板部４Ｂの中央には略円形の開口４ｋが形成されている。そして、開口４ｋには、凹部４Ｃのそれぞれに向かって拡がるように切欠部４ｋｃが形成されている。切欠部４ｋｃは、例えば、レンズ体ＬＳをレンズ保持部材２に取り付ける際に、レンズ保持部材２を保持するために利用される。但し、切欠部４ｋｃは省略されてもよい。切欠部４ｋｃは、第１凹部４Ｃ１〜第４凹部４Ｃ４のそれぞれに対向するように配置された第１切欠部４ｋｃ１〜第４切欠部４ｋｃ４を含む。
【００１８】
レンズ駆動装置１０１は、略直方体形状を有し、撮像素子（図示せず。）を実装した基板（図示せず。）の上に取り付けられる。レンズ駆動装置１０１と、レンズ保持部材２に装着されたレンズ体ＬＳと、レンズ体ＬＳに対向するように基板に実装された撮像素子と、基板とはカメラモジュールを構成する。コイル３は、下側板ばね２６Ａ、端子７Ａ及び基板を介し、且つ、下側板ばね２６Ｂ、端子７Ｂ及び基板を介して電源に接続される。コイル３に電流が流れると、駆動機構ＭＫは、光軸方向ＪＤに沿った電磁力を発生させる。
【００１９】
レンズ駆動装置１０１は、この電磁力を利用し、撮像素子のＺ１側（被写体側）で、光軸方向ＪＤに沿ってレンズ保持部材２を移動させることで自動焦点調節機能を実現する。具体的には、レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００２０】
次に、レンズ保持部材２と駆動機構ＭＫについて説明する。図５（Ａ）は、レンズ保持部材２の上方斜視図であり、図５（Ｂ）は、図５（Ａ）のレンズ保持部材２にコイル３が巻かれた状態を示す上方斜視図である。図６（Ａ）は、レンズ保持部材２の下方斜視図であり、図６（Ｂ）は、図６（Ａ）のレンズ保持部材２にコイル３が巻かれた状態を示す下方斜視図である。図７（Ａ）は、レンズ保持部材２の上面図であり、図７（Ｂ）は、Ｙ２側から見たレンズ保持部材２の正面図である。図８（Ａ）は、レンズ保持部材２の下方斜視図であり、図８（Ｂ）は、図８（Ａ）に示すレンズ保持部材２にコイル３が巻かれた状態を示す下方斜視図である。図９（Ａ）は、図８（Ｂ）に示す部分Ｓの拡大図であり、図９（Ｂ）は、図６（Ｂ）に示す部分Ｐの拡大図である。図１０（Ａ）は、金属部材７及びベース部材１８が省略された状態のレンズ駆動装置１０１の底面図であり、図１０（Ｂ）は、更に下側板ばね２６及びレンズ保持部材２が省略された状態のレンズ駆動装置１０１の底面図である。
【００２１】
本実施形態では、レンズ保持部材２は、液晶ポリマー（ＬＣＰ）等の合成樹脂を射出成形することで作製されている。具体的には、レンズ保持部材２は、図５（Ａ）に示すように、光軸方向ＪＤに沿って貫通されるように形成された筒状部１２と、光軸方向ＪＤにおける撮像素子側（Ｚ２側）に形成された第１突出部としてのフランジ部（鍔状部）５２とを含む。本実施形態では、フランジ部５２は、径方向外側に突出するように、すなわち、光軸方向ＪＤに垂直な方向に突出するように形成されている。また、筒状部１２は、フランジ部５２の被写体側（Ｚ１側）においては、円筒状に形成されている。
【００２２】
本実施形態では、筒状部１２には、レンズ体ＬＳが装着されるように、内周面にねじ溝が設けられている。但し、レンズ体ＬＳは、接着剤によって筒状部１２に固定されてもよい。この場合、ねじ溝は省略されてもよい。また、筒状部１２には、被写体側の端面に窪み１２ｄｈを有した台座部１２ｄが光軸を挟んで４箇所に設けられている。台座部１２ｄには、図４（Ａ）に示すように、上側板ばね１６の内側部分１６ｉが載置され、且つ、接着剤で固定される。
【００２３】
筒状部１２の外周面には、図５（Ａ）に示すように、コイル３を内側から支持する外壁部としてのコイル支持部１２ｊが設けられている。本実施形態では、コイル支持部１２ｊは、八角環状のコイル３を支持できるよう、上面視で八角形状の外形を有する。
【００２４】
コイル支持部１２ｊの被写体側には、光軸方向ＪＤにおいて第１突出部としてのフランジ部５２と対向するように径方向外側に突出した第２突出部としての庇部１２ｈが４箇所に形成されている。本実施形態では、庇部１２ｈは、ケース４の側板部４Ａに向かって、外方へ突出するように、すなわち、光軸方向ＪＤに垂直な方向に突出するように形成されている。そして、図５（Ｂ）に示すように、コイル３は、コイル支持部１２ｊに支持され且つ光軸方向ＪＤにおいて庇部１２ｈとフランジ部５２との間に挟まれるようにしてレンズ保持部材２の外周面側に環状に巻かれている。
【００２５】
フランジ部５２は、筒状部１２の撮像素子側（Ｚ２側）の部分における外周面から径方向外側に突出している。フランジ部５２の被写体側にはコイル３が配置されている。フランジ部５２には、図６（Ｂ）に示すように、レンズ体ＬＳの光軸を挟んで切欠部５２ｋが２つ形成されている。そして、切欠部５２ｋの一方にはコイル３の巻き始め側の線材である延在部３３Ａが通され、切欠部５２ｋの他方にはコイル３の巻き終わり側の線材である延在部３３Ｂが通されている。切欠部５２ｋを形成するフランジ部５２の縁部は、湾曲するように構成されている。縁部と接するコイル３の線材が断線するのを防止し或いは抑制するためである。
【００２６】
フランジ部５２は、図６（Ａ）に示すように、撮像素子側（Ｚ２側）の面から下方（Ｚ２方向）に突出した、角形凸状の２つの保持部７２と、丸形凸状の６つの突設部２ｔと、３つの壁部（内側壁部８２ｕ、外側壁部８２ｖ、側壁部８２ｗ）で形成された２つの突堤部８２とを含む。
【００２７】
保持部７２は、図６（Ｂ）に示すように、コイル３（巻回部１３）の巻き始め側に対応する保持部７２Ａと、コイル３（巻回部１３）の巻き終わり側に対応する保持部７２Ｂとを含む。コイル３の両端は、保持部７２に巻き付けられて保持されている。
【００２８】
突設部２ｔは、図６（Ａ）及び図１０（Ａ）に示すように、下側板ばね２６Ａに対応する３つの突設部２ｔと、下側板ばね２６Ｂに対応する３つ突設部２ｔとを含む。突設部２ｔには、下側板ばね２６Ａ及び下側板ばね２６Ｂのそれぞれの内側部分２６ｉが装着されて固定されている。下側板ばね２６Ａ及び下側板ばね２６Ｂのそれぞれの内側部分２６ｉの固定は、内側部分２６ｉに形成された貫通孔に挿通された突設部２ｔを熱かしめすることによって実現される。なお、熱かしめは、冷間かしめであってもよい。図６（Ａ）及び図６（Ｂ）では、突設部２ｔは、熱かしめされた後の先端が変形した状態で図示されている。他の図においても同様である。
【００２９】
突堤部８２は、図６（Ａ）に示すように、レンズ保持部材２の中心側に位置する内側壁部８２ｕと、内側壁部８２ｕと対向して外側に位置する外側壁部８２ｖと、保持部７２に近い側で内側壁部８２ｕと外側壁部８２ｖとの間に位置する側壁部８２ｗとを含む。保持部７２から遠い突堤部８２の側には、図９（Ａ）に示すように、壁部が切り欠かれた開放部８２ｚが形成されている。そして、３つの壁部（内側壁部８２ｕ、外側壁部８２ｖ、側壁部８２ｗ）で囲われた空間が収容部８２ｓを形成している。本実施形態では、突堤部８２が保持部７２と隣り合う位置に形成されているので、保持部７２の側壁は、突堤部８２の側壁部８２ｗとして好適に利用されている。したがって、保持部７２と隣り合う位置に収容部８２ｓが設けられている。保持部７２Ａの近くにある収容部８２ｓは、コイル３の延在部３３Ａと下側板ばね２６Ａとを接続する導電性接着剤を収容できるように構成されている。同様に、保持部７２Ｂの近くにある収容部８２ｓは、コイル３の延在部３３Ｂと下側板ばね２６Ｂとを接続する導電性接着剤を収容できるように構成されている。
【００３０】
次に、レンズ駆動装置１０１の駆動機構ＭＫについて説明する。駆動機構ＭＫは、図１０（Ｂ）に示すように、コイル３と、ケース４を構成する４つの側板部４Ａのそれぞれと対向するように配置された４つの磁石５とを含む。具体的には、磁石５は、第１磁石５Ａ１〜第４磁石５Ａ４を含む。第１磁石５Ａ１は、第１側板部４Ａ１と対向するように配置され、第２磁石５Ａ２は、第２側板部４Ａ２と対向するように配置され、第３磁石５Ａ３は、第３側板部４Ａ３と対向するように配置され、第４磁石５Ａ４は、第４側板部４Ａ４と対向するように配置されている。そして、駆動機構ＭＫは、コイル３に流れる電流と磁石５が発生する磁界とで駆動力（推力）を発生させ、レンズ保持部材２を光軸方向ＪＤに沿って上下に移動させることができる。
【００３１】
コイル３は、図６（Ｂ）に示すように、レンズ保持部材２の外周に導電性の線材を巻回して形成されている。コイル３は、環状に巻かれて形成された巻回部１３と、巻回部１３から延びて保持部７２に巻き付けられる延在部３３とを含む。図６（Ｂ）は、明瞭化のため、巻回部１３に関しては、絶縁部材で表面を被覆された導電性の線材の詳細な巻回状態の図示を省略している。巻回部１３を図示する他の図についても同様である。
【００３２】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。
【００３３】
具体的には、延在部３３Ａは、図９（Ａ）に示すように、保持部７２Ａに巻き付けられる巻き付け部３３ｍと、収容部８２ｓの内底面と対向して延びる接続部３３ｃと、切欠部５２ｋに挿通されてフランジ部５２の撮像素子側（Ｚ２側）から被写体側（Ｚ１側）に延びる挿通部３３ｋとを含む。同様に、延在部３３Ｂは、図９（Ｂ）に示すように、保持部７２Ｂに巻き付けられる巻き付け部３３ｍと、収容部８２ｓの内底面と対向して延びる接続部３３ｃと、切欠部５２ｋに挿通されてフランジ部５２の撮像素子側（Ｚ２側）から被写体側（Ｚ１側）に延びる挿通部３３ｋとを含む。
【００３４】
本実施形態では、延在部３３Ａは、コイル３の線材がレンズ保持部材２の外周に巻き付けられる前に、すなわち、巻回部１３が形成される前に、レンズ保持部材２の保持部７２Ａに巻き付けられる。図９（Ａ）に示す例では、コイル３の線材の一部が保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３の線材がレンズ保持部材２の外周に巻き付けられた後で、保持部７２Ａに巻き付けられてもよい。
【００３５】
次に、レンズ保持部材２の外周に線材が巻き付けられる。その際には、図９（Ａ）に示すように、巻き付け部３３ｍから延びる線材は、収容部８２ｓの内底面と対向するとともに、壁部が切り欠かれた開放部８２ｚを通る。そして、線材は、フランジ部５２の下側から切欠部５２ｋを通ってフランジ部５２の上側に延びる。このとき、収容部８２ｓの内底面と対向する部分が延在部３３Ａの接続部３３ｃを構成し、切欠部５２ｋを通る部分が延在部３３Ａの挿通部３３ｋを構成する。
【００３６】
延在部３３Ａの挿通部３３ｋは、フランジ部５２の下側から上側に延びる際、図９（Ａ）に示すように、フランジ部５２の縁部に接するように構成されている。そのため、落下等により強い衝撃がレンズ駆動装置１０１に加えられた際には、コイル３の延在部３３Ａはフランジ部５２の縁部に押し付けられる。本実施形態では、フランジ部５２の縁部は湾曲するように構成されている。そのため、延在部３３Ａは、フランジ部５２の縁部で切断され難い。延在部３３Ｂと接するフランジ部５２の縁部も湾曲するように構成されていてもよい。
【００３７】
レンズ保持部材２の外周に巻回されたコイル３の巻回部１３は、図５（Ｂ）に示すように、レンズ保持部材２の周囲を囲む位置に配置されている。また、巻回部１３は、コイル支持部１２ｊ（図５（Ａ）参照。）により内側から支持された状態で、庇部１２ｈとフランジ部５２に挟まれるようにして、フランジ部５２の被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体ＬＳの光軸は、レンズ保持部材２及びコイル３のそれぞれの中心軸と容易に一致するように構成されている。
【００３８】
レンズ保持部材２の外周への線材の巻き付けが終了すると、巻回部１３の巻き終わり側の端部に繋がる延在部３３Ｂは、図９（Ｂ）に示すように、フランジ部５２の被写体側から切欠部５２ｋを介してフランジ部５２の撮像素子側に引き出される。具体的には、挿通部３３ｋが切欠部５２ｋを通過し、接続部３３ｃが突堤部８２の開放部８２ｚを通過するとともに収容部８２ｓの内底面と対向して延び、巻き付け部３３ｍがレンズ保持部材２の保持部７２Ｂに巻き付けられる。図９（Ｂ）に示す例では、延在部３３Ｂは、保持部７２Ｂに３ターン巻き付けられている。
【００３９】
突堤部８２には、保持部７２Ｂから遠い側に、壁部が切り欠かれた開放部８２ｚが形成されている。延在部３３Ｂの接続部３３ｃは開放部８２ｚを通って延びる。この構成により、突堤部８２と延在部３３Ｂとの干渉が回避され、レンズ保持部材２と下側板ばね２６Ｂとの隙間の増大が回避され、レンズ駆動装置１０１の寸法が光軸方向ＪＤにおいて大きくなるのが抑制され得る。
【００４０】
次に、ケース４について説明する。本実施形態では、ケース４は、オーステナイト系ステンレス鋼等の非磁性金属で形成された板材に抜き加工及び絞り加工を施して作製されている。非磁性金属で形成されているため、ケース４は、デュアルカメラ型の携帯機器等においてレンズ駆動装置１０１に隣接して別のレンズ駆動装置が配置される場合であっても、その別のレンズ駆動装置に含まれる駆動機構に磁気的な悪影響を及ぼすことはない。具体的には、ケース４は、図２（Ａ）に示すように、収納部４ｓを定める箱状の外形を有する。そして、ケース４は、矩形環状の外周壁部４Ｇと、外周壁部４Ｇの上端（Ｚ１側の端）と連続するように設けられた、凹部４Ｃを除いて平板状の天板部４Ｂとを有する。外周壁部４Ｇは、平板状に形成された４つの側板部４Ａを備えている。このように構成されたケース４は、図１０（Ｂ）に示すように、コイル３及び磁石５を収納部４ｓに収容し、且つ、図２（Ａ）に示すように、ベース部材１８に結合されてベース部材１８とともに筐体を構成する。但し、ケース４は、鉄等の磁性金属で形成されたカバーで置き換えられてもよい。この場合、ケース４はヨークとして機能する。
【００４１】
次に、駆動機構ＭＫを構成する磁石５について説明する。磁石５は、図１に示すように略直方体形状を有し、光軸方向ＪＤに垂直な方向（Ｘ軸方向又はＹ軸方向）に延びるように配置されている。そして、４つの磁石５は、図１０（Ｂ）に示すように、コイル３の外側に位置するとともに、ケース４を構成する４つの側板部４Ａのそれぞれに沿うように配置されている。そして、接着剤により、側板部４Ａのそれぞれの内面に固定されている。また、磁石５は、例えば、内側がＮ極、外側がＳ極となるように配置されている。
【００４２】
次に、板ばね６及び固定側部材ＲＧについて説明する。図１１は、板ばね６を説明する図である。図１１（Ａ）は、上側板ばね１６の上面図であり、図１１（Ｂ）は、下側板ばね２６の上面図である。図１２は、下側板ばね２６Ａとコイル３との接続状態の一例を説明する図である。具体的には、図１２（Ａ）は、図１０（Ａ）に示す部分Ｔの拡大図であり、図１２（Ｂ）は、図１０（Ａ）に示す部分ＴをＸ２側から見たときの下側板ばね２６Ａ、コイル３及びレンズ保持部材２の拡大図である。なお、図１２（Ａ）及び図１２（Ｂ）では、説明を分かり易くするため、導電性接着剤ＣＡがクロスハッチングで示されている。図１３は、固定側部材ＲＧとしてのベース部材１８を説明する図である。具体的には、図１３（Ａ）は、ベース部材１８の上方斜視図であり、図１３（Ｂ）は、ベース部材１８に下側板ばね２６Ａ及び下側板ばね２６Ｂが組み付けられた状態を示す上方斜視図である。
【００４３】
板ばね６は、銅合金を主な材料とした金属板から作製されている。板ばね６は、図１に示すように、レンズ保持部材２とケース４との間に配置される上側板ばね１６と、レンズ保持部材２とベース部材１８との間に配置される下側板ばね２６とを含む。レンズ保持部材２と板ばね６（上側板ばね１６、下側板ばね２６Ａ及び下側板ばね２６Ｂ）のそれぞれとが係合された状態で、板ばね６は、レンズ保持部材２が光軸方向ＪＤ（Ｚ軸方向）へ移動可能となるように、レンズ保持部材２を空中で支持している。下側板ばね２６Ａ及び下側板ばね２６Ｂは、コイル３に電流を供給するための給電部材として機能する。そのため、下側板ばね２６Ａはコイル３の一端に電気的に接続され、下側板ばね２６Ｂはコイル３の他端に電気的に接続されている。
【００４４】
上側板ばね１６は、図１１（Ａ）に示すように、略矩形状をなし、レンズ保持部材２に固定される内側部分１６ｉと、固定側部材ＲＧに固定される外側部分１６ｅと、内側部分１６ｉと外側部分１６ｅとの間に位置する４つの弾性腕部１６ｇとを含む。具体的には、上側板ばね１６は、枠状に形成されており、中心を挟んで対向するように設けられた２つの内側部分１６ｉを有している。外側部分１６ｅは、４つの角部分１６ｂと、隣り合う２つの角部分１６ｂを繋ぐ４つの辺部分１６ｒとを有している。辺部分１６ｒの一部は、ケース４の天板部４Ｂの一部を構成する凹部４Ｃの下面と磁石５の上面とで挟持されて固定される。このように、ケース４及び磁石５は、固定側部材ＲＧとして機能する。
【００４５】
より具体的には、角部分１６ｂは、第１角部分１６ｂ１〜第４角部分１６ｂ４を含む。第１角部分１６ｂ１には第１貫通孔ＴＨ１が形成され、第２角部分１６ｂ２には第２貫通孔ＴＨ２が形成され、第３角部分１６ｂ３には第３貫通孔ＴＨ３が形成され、第４角部分１６ｂ４には第４貫通孔ＴＨ４が形成されている。第１貫通孔ＴＨ１は、長方形をなし、長方形の長辺の１つが外周壁部４Ｇの第１隅部４Ｒ１に対向するように配置されている。第１貫通孔ＴＨ１は、円、楕円又は角丸長方形等の他の形状をなしていてもよい。第２貫通孔ＴＨ２〜第４貫通孔ＴＨ４についても同様である。
【００４６】
第１貫通孔ＴＨ１〜第４貫通孔ＴＨ４のそれぞれは、例えば、ケース４内に上側板ばね１６を組み込む際に用いられる治具をガイドするためのガイド孔として利用される。また、第１貫通孔ＴＨ１〜第４貫通孔ＴＨ４のそれぞれは、例えば、ケース４と上側板ばね１６とを固定するための接着剤の溜まりとして利用される。
【００４７】
辺部分１６ｒは、第１辺部分１６ｒ１〜第４辺部分１６ｒ４を含む。第１辺部分１６ｒ１は、第１角部分１６ｂ１と第４角部分１６ｂ４とを繋ぐように構成されている。第２辺部分１６ｒ２は、第１角部分１６ｂ１と第２角部分１６ｂ２とを繋ぐように構成されている。第３辺部分１６ｒ３は、第２角部分１６ｂ２と第３角部分１６ｂ３とを繋ぐように構成されている。第４辺部分１６ｒ４は、第３角部分１６ｂ３と第４角部分１６ｂ４とを繋ぐように構成されている。第１辺部分１６ｒ１は、第１側板部４Ａ１に向かって張り出した部分を有する第１幅広部ＷＳ１と、延在方向において第１幅広部ＷＳ１の両側に配置される２つの第１幅狭部ＮＳ１とを含む。第２辺部分１６ｒ２は、第２側板部４Ａ２に向かって張り出した部分を有する第２幅広部ＷＳ２と、延在方向において第２幅広部ＷＳ２の両側に配置される２つの第２幅狭部ＮＳ２とを含む。第３辺部分１６ｒ３は、第３側板部４Ａ３に向かって張り出した部分を有する第３幅広部ＷＳ３と、延在方向において第３幅広部ＷＳ３の両側に配置される２つの第３幅狭部ＮＳ３とを含む。第４辺部分１６ｒ４は、第４側板部４Ａ４に向かって張り出した部分を有する第４幅広部ＷＳ４と、延在方向において第４幅広部ＷＳ４の両側に配置される２つの第４幅狭部ＮＳ４とを含む。
【００４８】
弾性腕部１６ｇは、ケース４における第１凹部４Ｃ１〜第４凹部４Ｃ４のそれぞれに対応するように配置された第１弾性腕部１６ｇ１〜第４弾性腕部１６ｇ４を含む。第１弾性腕部１６ｇ１〜第４弾性腕部１６ｇ４は、対応する第１凹部４Ｃ１〜第４凹部４Ｃ４の内側（光軸側）に位置している。すなわち、第１弾性腕部１６ｇ１〜第４弾性腕部１６ｇ４は、それぞれの弾性変形が第１凹部４Ｃ１〜第４凹部４Ｃ４によって妨げられないように構成されている。
【００４９】
上側板ばね１６がレンズ駆動装置１０１に組み込まれた際には、図４（Ａ）に示すように、内側部分１６ｉは、レンズ保持部材２の台座部１２ｄ（図５（Ａ）参照。）に載置される。そして、内側部分１６ｉと台座部１２ｄとを接着剤で固定することにより、内側部分１６ｉはレンズ保持部材２に固定される。外側部分１６ｅは、図４（Ｂ）に示すように、磁石５の上面（Ｚ１側の面）に接し、天板部４Ｂの凹部４Ｃの下面（図４（Ｂ）では不図示。）と磁石５の上面との間に挟持されて固定される。
【００５０】
上側板ばね１６は、図１１（Ａ）に示すように、略左右対称に形成されている。そして、内側部分１６ｉでレンズ保持部材２に固定され、外側部分１６ｅでケース４に固定されている。そのため、上側板ばね１６は、レンズ保持部材２をバランス良く空中で支持できる。
【００５１】
下側板ばね２６Ａ及び下側板ばね２６Ｂは、図１１（Ｂ）に示すように、それぞれの内側形状が半円形状となるように構成されている。そして、レンズ保持部材２の撮像素子側に固定される内側部分２６ｉと、固定側部材ＲＧに固定される外側部分２６ｅと、内側部分２６ｉと外側部分２６ｅとの間に位置する弾性腕部２６ｇとを含む。
【００５２】
下側板ばね２６Ａ及び下側板ばね２６Ｂのそれぞれの内側部分２６ｉは、図１１（Ｂ）に示すように、レンズ保持部材２と係合される３つの内側接合部分２６ｃと、３つの内側接合部分２６ｃの間を繋ぐ２つの第１連結部２６ｐと、コイル３の延在部３３と対向する接続板部２６ｈとを含む。
【００５３】
下側板ばね２６Ａ及び下側板ばね２６Ｂがレンズ駆動装置１０１に組み込まれた際には、図６（Ａ）に示すレンズ保持部材２の６つの突設部２ｔのそれぞれは、図１１（Ｂ）に示す下側板ばね２６Ａ及び下側板ばね２６Ｂのそれぞれの内側接合部分２６ｃに設けられた円形の貫通孔に挿通されて嵌合される。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ又は冷間かしめを施すことで、レンズ保持部材２に固定される。
【００５４】
以下では、主に下側板ばね２６Ａとレンズ保持部材２及びコイル３との関係を説明する。但し、下側板ばね２６Ａに関する説明は、下側板ばね２６Ｂにも同様に適用される。
【００５５】
下側板ばね２６Ａの内側部分２６ｉの接続板部２６ｈは、図１２（Ｂ）に示すように、レンズ駆動装置１０１が組み立てられた際には、レンズ保持部材２の突堤部８２と対向する。すなわち、接続板部２６ｈの被写体側（Ｚ１側）の面は、図１２（Ａ）に示すように、突堤部８２で形成された収容部８２ｓと対向する。そして、コイル３の延在部３３Ａの接続部３３ｃは、図１２（Ｂ）に示すように、下側板ばね２６Ａの内側部分２６ｉの被写体側の面とレンズ保持部材２のフランジ部５２の撮像素子側（Ｚ２側）の面との間を通って延びる。
【００５６】
内側部分２６ｉの接続板部２６ｈには、図１２（Ａ）に示すように、突堤部８２の開放部８２ｚと対向する位置に、貫通部２６ｔとして２つの切り欠きが設けられ、且つ、外側壁部８２ｖと対向する位置に、Ｕ字形状の切欠部２６ｋが設けられている。貫通部２６ｔは、底面視で、突堤部８２の内側壁部８２ｕ及び外側壁部８２ｖのそれぞれの端部に対応する位置に設けられている。この配置により、貫通部２６ｔは、導電性接着剤ＣＡが下側板ばね２６ＡのＺ１側の表面を伝ってＹ２側に広がるのを防止している。また、切欠部２６ｋは、導電性接着剤ＣＡが下側板ばね２６ＡのＺ１側の表面を伝って外側壁部８２ｖの側（Ｘ２側）に広がるのを防止している。すなわち、内側壁部８２ｕの側（Ｘ１側）に広がり易くしている。接続部３３ｃの全周囲が導電性接着剤ＣＡによって覆われるようにするためである。
【００５７】
下側板ばね２６Ａがレンズ保持部材２に組み付けられた際には、図１２（Ｂ）に示すように、保持部７２Ａは、その先端が下側板ばね２６Ａの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように保持部７２Ａに巻き付けられている。
【００５８】
下側板ばね２６Ａとコイル３の延在部３３Ａは、合成樹脂中に銀粒子等の導電性フィラーが分散された導電性接着剤ＣＡで電気的且つ機械的に接続されている。具体的には、下側板ばね２６Ａをレンズ保持部材２に組み込む前に、レンズ保持部材２の突堤部８２で囲まれた収容部８２ｓに導電性接着剤ＣＡが塗布され、その後、下側板ばね２６Ａがレンズ保持部材２に装着される。そして、レンズ保持部材２の突設部２ｔが熱かしめされ、且つ、導電性接着剤ＣＡが熱硬化される。導電性接着剤ＣＡの収容部８２ｓへの塗布から導電性接着剤ＣＡの熱硬化までは、保持部７２が鉛直上方に突出するようにレンズ保持部材２が逆さまにされた状態で行われる。そのため、導電性接着剤ＣＡは、流動性を有する場合であっても、所望の位置（収容部８２ｓ内の位置）に適切に保持され得る。そして、接続部３３ｃの一部は、収容部８２ｓ内に配置されているため、導電性接着剤ＣＡ内に埋設される。なお、導電性接着剤ＣＡは、熱硬化型に限らず、紫外線硬化型であってもよい。
【００５９】
また、下側板ばね２６Ａとコイル３の延在部３３Ａは、導電性接着剤ＣＡではなく、半田付けで電気的に接続されていてもよい。この場合、半田は、下側板ばね２６ＡのＺ２側に配置され、下側板ばね２６Ａと延在部３３Ａとを電気的に接続する。
【００６０】
下側板ばね２６Ａの外側部分２６ｅは、図１１（Ｂ）に示すように、ベース部材１８と係合される２つの外側接合部分２６ｄと、２つの外側接合部分２６ｄを繋ぐ第２連結部２６ｑとを含む。下側板ばね２６Ａの外側接合部分２６ｄに設けられた貫通孔は、ベース部材１８の上面に設けられた突設部１８ｔ（図１３（Ａ）参照。）と嵌合する。これにより、下側板ばね２６Ａの外側部分２６ｅは、ベース部材１８に位置決めされ且つ固定される。
【００６１】
下側板ばね２６Ａ及び下側板ばね２６Ｂは、図１１（Ｂ）に示すように、略左右対称に形成されている。そして、下側板ばね２６Ａは、３つの内側接合部分２６ｃでレンズ保持部材２に接続され、２つの外側接合部分２６ｄでベース部材１８に接続されている。下側板ばね２６Ｂについても同様である。この構成により、下側板ばね２６Ａ及び下側板ばね２６Ｂは、レンズ保持部材２を光軸方向ＪＤへ移動可能な状態でバランス良く空中で支持することができる。
【００６２】
次に、固定側部材ＲＧについて説明する。固定側部材ＲＧは、上側板ばね１６を固定するケース４及び磁石５と、下側板ばね２６Ａ及び下側板ばね２６Ｂのそれぞれを固定するベース部材１８とを含む。
【００６３】
ベース部材１８は、液晶ポリマー等の合成樹脂を用いた射出成形によって作製される。そして、ベース部材１８は、光軸方向ＪＤにおいて、レンズ保持部材２と対向するように、レンズ保持部材２の下側（Ｚ２側）に配置される。本実施形態では、ベース部材１８は、図１３（Ａ）に示すように、矩形板状の外形を有する部材であり、中央に円形の開口１８ｋが形成されている。
【００６４】
また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通孔に挿通され且つ嵌合される。この際、突設部１８ｔは熱かしめが施されて外側接合部分２６ｄに固定される。なお、熱かしめは、冷間かしめであってもよい。図１３（Ａ）及び図１３（Ｂ）では、突設部１８ｔは、熱かしめされた後の先端が変形した状態で図示されている。他の図においても同様である。
【００６５】
ベース部材１８には、図１３（Ａ）に示すように、銅若しくは鉄又はそれらを主成分とする合金等の材料を含む金属から形成された金属部材７がインサート成形されて埋め込まれている。金属部材７は、端子７Ａ及び７Ｂを含み、端子７Ａ及び７Ｂのそれぞれは、一部がベース部材１８の上面（Ｚ１側の面）に露出している。そして、互いに電気的に絶縁されている端子７Ａ及び７Ｂのそれぞれは、撮像素子等を実装した基板（図示せず。）に電気的に接続されている。また、端子７Ａは下側板ばね２６Ａに電気的に接続され、端子７Ｂは下側板ばね２６Ｂに電気的に接続されている。更に、下側板ばね２６Ａはコイル３の一端に電気的に接続され、下側板ばね２６Ｂはコイル３の他端に電気的に接続されている。そのため、コイル３は、端子７Ａと下側板ばね２６Ａとを介し、或いは、端子７Ｂと下側板ばね２６Ｂとを介して電流の供給を受けることができる。
【００６６】
ベース部材１８には、端子７Ａ及び７Ｂと同様に、銅若しくは鉄又はそれらを主成分とする合金等の材料を含む金属から形成された接続部材７Ｄもインサート成形されて埋め込まれている。接続部材７Ｄは、図２に示すように、ケース４を構成する外周壁部４Ｇの四隅にある隅部４Ｒの下端部のところで、一部を露出させている。ベース部材１８は、ケース４の側板部４Ａの内面とベース部材１８の外周側面とが組み合わさって位置決めされた後で、接続部材７Ｄとケース４の四隅にある隅部４Ｒの下端部とが溶接されてケース４に固定される。ケース４とベース部材１８とは少なくとも部分的に接着剤で固定されてもよい。
【００６７】
次に、図１４〜図１７を参照し、ケース４、磁石５及び上側板ばね１６で構成される上部組立体ＵＡについて説明する。図１４は、上部組立体ＵＡの分解斜視図及び組立図である。
【００６８】
図１５は、ケース４における凹部４Ｃ及び隅部４Ｒの拡大斜視図であり、図１５（Ａ）〜図１５（Ｃ）を含む。具体的には、図１５（Ａ）は、第４凹部４Ｃ４及び第４隅部４Ｒ４の拡大斜視図である。図１５（Ｂ）は、上側板ばね１６がケース４に取り付けられたときの第４凹部４Ｃ４及び第４隅部４Ｒ４の拡大斜視図である。図１５（Ｃ）は、更に磁石５がケース４に取り付けられたときの第４凹部４Ｃ４及び第４隅部４Ｒ４の拡大斜視図であり、図１４の部分Ｖの拡大図に相当する。
【００６９】
図１６は、ケース４における凹部４Ｃ及び隅部４Ｒの拡大底面図であり、図１６（Ａ）及び図１６（Ｂ）を含む。具体的には、図１６（Ａ）は、上側板ばね１６がケース４に取り付けられたときの第４凹部４Ｃ４及び第４隅部４Ｒ４の拡大底面図である。図１６（Ｂ）は、更に磁石５がケース４に取り付けられたときの第４凹部４Ｃ４及び第４隅部４Ｒ４の拡大底面図であり、図１４の部分ＶをＺ２側から見たときの拡大図に相当する。
【００７０】
図１７は、上部組立体ＵＡの一部の底面図である。具体的には、図１７は、上部組立体ＵＡの背面側部分（Ｙ１側の部分）の底面図である。
【００７１】
以下では、主に第４凹部４Ｃ４の周辺の構造が説明される。但し、第４凹部４Ｃ４の周辺の構造に関する説明は、第１凹部４Ｃ１〜第３凹部４Ｃ３のそれぞれの周辺の構造についても同様に適用される。
【００７２】
上部組立体ＵＡの組み立ては、ケース４が逆さまにされた状態で、すなわち、天板部４Ｂの上面（Ｚ１側の面）を下にした状態で行われる。
【００７３】
具体的には、図１５（Ａ）に示すように、ケース４は、第４凹部４Ｃ４のＺ２側に形成されている平坦面ＦＳが鉛直上方を向くように配置される。図１５（Ａ）は平坦面ＦＳをドットパターンで示している。第１凹部４Ｃ１〜第４凹部４Ｃ４のそれぞれの平坦面ＦＳは、同一平面上に位置するように構成されている。
【００７４】
その後、上側板ばね１６は、ケース４の第１凹部４Ｃ１〜第４凹部４Ｃ４のそれぞれにおける平坦面ＦＳに載置される。具体的には、上側板ばね１６の第４角部分１６ｂ４は、図１５（Ｂ）に示すように、第４凹部４Ｃ４における平坦面ＦＳに載置される。図１５（Ｂ）は、平坦面ＦＳに載置される上側板ばね１６をドットパターンで示している。
【００７５】
そして、第４凹部４Ｃ４のうちの、第４貫通孔ＴＨ４から露出している部分、及び、上側板ばね１６の下面（Ｚ２側の面）のうちの第４貫通孔ＴＨ４の周囲にある部分は、接着剤ＡＤ１（図１６（Ｂ）参照。）が付着するように構成されている。本実施形態では、接着剤ＡＤ１は、ケース４に上側板ばね１６が取り付けられた後で、第４貫通孔ＴＨ４のところに塗布される。ケース４に上側板ばね１６が取り付けられる前に塗布されると、第４凹部４Ｃ４の平坦面ＦＳと上側板ばね１６の上面（Ｚ１側の面）との間で固化した余分な接着剤により、上側板ばね１６が平坦面ＦＳから浮き上がってしまうおそれがあるためである。但し、接着剤ＡＤ１は、上述のような浮き上がりの発生を防止できる限りにおいて、ケース４に上側板ばね１６が取り付けられる前に、第４凹部４Ｃ４の平坦面ＦＳにおける第４貫通孔ＴＨ４に対応する部分に塗布されてもよい。ケース４と上側板ばね１６との接着強度を高めるためである。
【００７６】
また、上側板ばね１６は、図１５（Ｂ）に示すように、第１辺部分１６ｒ１の第１幅広部ＷＳ１の外側端面が第１側板部４Ａ１の内壁面に接し、且つ、第１辺部分１６ｒ１の第１幅狭部ＮＳ１の外側端面が第１側板部４Ａ１の内壁面及び第４凹部４Ｃ４の湾曲面ＲＳに接しないように、ケース４に取り付けられる。また、上側板ばね１６は、第４辺部分１６ｒ４の第４幅広部ＷＳ４の外側端面が第４側板部４Ａ４の内壁面に接し、且つ、第４辺部分１６ｒ４の第４幅狭部ＮＳ４の外側端面が第４側板部４Ａ４の内壁面及び第４凹部４Ｃ４の湾曲面ＲＳに接しないように、ケース４に取り付けられる。不図示の第２辺部分１６ｒ２及び第３辺部分１６ｒ３についても同様である。このように、４つの幅広部ＷＳは、外周壁部４Ｇの４つの内壁面に対する位置決め部として機能する。そのため、幅広部ＷＳは、ケース４に対する上側板ばね１６の位置決めの精度を高めることができる。また、幅広部ＷＳは、幅狭部ＮＳが外周壁部４Ｇの内壁面又は凹部４Ｃの湾曲面ＲＳと干渉して角部分１６ｂが平坦面ＦＳから浮き上がってしまうのを防止できる。なお、湾曲面ＲＳは、外周壁部４Ｇと凹部４Ｃとの間に位置する曲面状の部分の面である。
【００７７】
より具体的には、上側板ばね１６は、図１６（Ａ）に示すように、第４角部分１６ｂ４の一部と、第４辺部分１６ｒ４の左側（Ｘ１側）の第４幅狭部ＮＳ４の一部と、第１辺部分１６ｒ１の前側（Ｙ１側）の第１幅狭部ＮＳ１の一部とが、第４凹部４Ｃ４の平坦面ＦＳと接するように配置される。図１６（Ａ）の細かいドットパターンＣＴ１は、上側板ばね１６と第４凹部４Ｃ４の平坦面ＦＳとの接触面の大きさを示している。なお、図１６（Ａ）では、粗いドットパターンは、ケース４を示している。
【００７８】
そして、上側板ばね１６は、第４辺部分１６ｒ４の第４幅広部ＷＳ４の外側の端面が第４側板部４Ａ４の内壁面と接し、且つ、第４辺部分１６ｒ４の第４幅狭部ＮＳ４の外側の端面と第４側板部４Ａ４の内壁面との隙間が距離Ｄ１となるように、ケース４内に配置される。
【００７９】
また、上側板ばね１６は、第４角部分１６ｂ４の外側の端面と第４隅部４Ｒ４の内壁面との隙間が距離Ｄ２となるように、ケース４内に配置されている。更に、上側板ばね１６は、長方形の第４貫通孔ＴＨ４の長辺が第４角部分１６ｂ４の外側の端面に沿って延び、且つ、第４隅部４Ｒ４の内壁面と対向するように、ケース４内に配置されている。
【００８０】
上側板ばね１６がケース４内に配置された後、磁石５は、上側板ばね１６のＺ２側の面に載置される。具体的には、磁石５は、図１５（Ｃ）に示すように、上側板ばね１６の辺部分１６ｒの上に載置される。図１５（Ｃ）は、上側板ばね１６の上に載置される磁石５をドットパターンで示している。
【００８１】
より具体的には、第１磁石５Ａ１は、図１６（Ｂ）に示すように、第４凹部４Ｃ４の平坦面ＦＳと第１磁石５Ａ１のＺ１側の面とで上側板ばね１６の第１辺部分１６ｒ１の前側の第１幅狭部ＮＳ１を挟むように、ケース４内に配置されている。図１６（Ｂ）の細かいドットパターンは、第１幅狭部ＮＳ１のうちの、平坦面ＦＳと第１磁石５Ａ１のＺ１側の面とで挟まれた挟持部分ＣＸ（第１挟持部分ＣＸ１（第１前側挟持部分ＣＸ１Ｆ））の大きさを示している。同様に、図１６（Ｂ）の別の細かいドットパターンは、第４幅狭部ＮＳ４のうちの、平坦面ＦＳと第４磁石５Ａ４のＺ１側の面とで挟まれた挟持部分ＣＸ（第４挟持部分ＣＸ４（第４左側挟持部分ＣＸ４Ｌ））の大きさを示している。なお、図１６（Ｂ）では、クロスハッチパターンは、接着剤ＡＤ１及び接着剤ＡＤ２を示し、粗いドットパターンは、ケース４を示している。
【００８２】
磁石５がケース４内に配置された後、磁石５は、接着剤ＡＤ２によってケース４の外周壁部４Ｇの内壁面に固定される。具体的には、第４磁石５Ａ４は、図１６（Ｂ）に示すように、第４磁石５Ａ４のＺ２側の面におけるＹ１側の端部に塗布された接着剤ＡＤ２によって第４側板部４Ａ４の内壁面に固定される。同様に、第１磁石５Ａ１は、第１磁石５Ａ１のＺ２側の面におけるＸ１側の端部に塗布された接着剤ＡＤ２によって第１側板部４Ａ１の内壁面に固定される。第２磁石５Ａ２及び第３磁石５Ａ３についても同様である。
【００８３】
本実施形態では、上側板ばね１６をケース４に固定する接着剤ＡＤ１、及び、磁石５をケース４に固定する接着剤ＡＤ２は、１回の加熱処理によって同時に硬化される。但し、接着剤ＡＤ１及び接着剤ＡＤ２は、紫外線照射処理によって同時に硬化されてもよく、加熱処理又は紫外線照射処理によって別々に硬化されてもよい。
【００８４】
磁石５は、隣り合う２つの凹部４Ｃの間の距離よりも長く延在するように構成されている。すなわち、磁石５の延在方向における２つの端部のそれぞれは、上側板ばね１６を挟み、凹部４Ｃを構成する延在凹部ＥＲに対向している。
【００８５】
具体的には、第４磁石５Ａ４は、図１７に示すように、第３凹部４Ｃ３と第４凹部４Ｃ４との間の距離Ｄ３よりも長い長さＬ１を有するように構成されている。すなわち、第４磁石５Ａ４は、第４左側挟持部分ＣＸ４Ｌと第４右側挟持部分ＣＸ４Ｒとの間の距離Ｄ４が距離Ｄ３よりも長くなるように構成されている。第４右側挟持部分ＣＸ４Ｒは、第４辺部分１６ｒ４の第４幅狭部ＮＳ４のうちの、第３凹部４Ｃ３の平坦面ＦＳと第４磁石５Ａ４のＺ１側の面とで挟まれた部分であり、第４左側挟持部分ＣＸ４Ｌと共に第４挟持部分ＣＸ４を構成している。
【００８６】
上側板ばね１６の弾性腕部１６ｇの付け根ＲＴは、ケース４と磁石５とで挟まれた部分に対応する位置から内側に向かって延びるように構成されている。具体的には、上側板ばね１６の第４弾性腕部１６ｇ４の第４付け根ＲＴ４は、図１６（Ｂ）及び図１７に示すように、第４左側挟持部分ＣＸ４Ｌに対応する位置から内側に向かって延びるように構成されている。同様に、上側板ばね１６の第３弾性腕部１６ｇ３の第３付け根ＲＴ３は、図１７に示すように、第４右側挟持部分ＣＸ４Ｒに対応する位置から内側に向かって延びるように構成されている。レンズ保持部材２が光軸方向ＪＤに沿って移動したときに上側板ばね１６の外側部分１６ｅがガタつくのを抑制或いは防止するためである。
【００８７】
但し、弾性腕部１６ｇの付け根ＲＴは、辺部分１６ｒの他の位置から内側に延びるように構成されていてもよい。ここで、図１８を参照し、弾性腕部１６ｇの付け根ＲＴの別の配置について説明する。図１８は、上部組立体ＵＡの別の構成例の一部の底面図である。具体的には、図１８は、上部組立体ＵＡの別の構成例の背面側部分（Ｙ１側の部分）の底面図であり、図１７に対応している。図１８の上部組立体ＵＡは、上側板ばね１６の形状の点で、図１７の上部組立体ＵＡと異なる。
【００８８】
図１８の例では、第４弾性腕部１６ｇ４の第４付け根ＲＴ４は、第４辺部分１６ｒ４の中央部分に対応する位置から内側に延びるように構成されている。具体的には、第４付け根ＲＴ４は、第４辺部分１６ｒ４のうち、第３凹部４Ｃ３及び第４凹部４Ｃ４の何れにも接していない部分、すなわち、第４左側挟持部分ＣＸ４Ｌと第４右側挟持部分ＣＸ４Ｒとの間にある部分に対応する位置から内側に延びるように構成されていてもよい。
【００８９】
この構成により、図１８の上側板ばね１６は、図１７に示すように弾性腕部１６ｇの付け根ＲＴが角部分１６ｂに近い位置から延びている場合に比べ、弾性腕部１６ｇを長くすることができる。そのため、図１８の構成は、弾性腕部１６ｇの設計自由度を高めることができる。
【００９０】
また、この構成では、図１６（Ｂ）で示したような第４角部分１６ｂ４への接着剤ＡＤ１の塗布は省略されてもよい。レンズ保持部材２が光軸方向ＪＤに沿って移動する場合であっても、第４角部分１６ｂ４が第４凹部４Ｃ４の平坦面ＦＳから浮き上がることはないためである。すなわち、第４弾性腕部１６ｇ４の第４付け根ＲＴ４が、第４左側挟持部分ＣＸ４Ｌに対し、第４角部分１６ｂ４の反対側にあるため、レンズ保持部材２が光軸方向ＪＤに沿って移動する場合であっても、第４付け根ＲＴ４の上下動が第４角部分１６ｂ４に伝わることがないためである。
【００９１】
辺部分１６ｒの幅広部ＷＳは、底面視で、磁石５の内側の端部よりも内側に突出するように構成されていてもよい。具体的には、図１８に示すように、第４辺部分１６ｒ４の第４幅広部ＷＳ４は、底面視で、第４磁石５Ａ４の内側の端部よりも突出量Ｄ５だけ内側に突出するように構成されていてもよい。突出量Ｄ５は、図１７の構成に比べて第４幅広部ＷＳ４の幅を大きくすることで実現されてもよく、第４磁石５Ａ４の幅を小さくすることで実現されてもよい。
【００９２】
この構成により、上側板ばね１６は、レンズ保持部材２が光軸方向ＪＤに沿って移動する際に弾性腕部１６ｇの付け根ＲＴが磁石５の内側の端部と干渉してしまうのを防止できる。
【００９３】
上述のように、本発明の実施形態に係るレンズ駆動装置１０１は、４つの側板部４Ａを含む筒状の外周壁部４Ｇと外周壁部４Ｇの一端部に設けられた天板部４Ｂとを有するカバー部材としてのケース４と、ケース４の天板部４Ｂと対向するベース部材１８と、ケース４とベース部材１８とを含む筐体の内部に位置してレンズ体ＬＳを保持可能なレンズ保持部材２と、レンズ保持部材２に保持されたコイル３と、コイル３に対向する磁石５と、ケース４に固定される固定側支持部としての外側部分１６ｅ、レンズ保持部材２に固定される可動側支持部としての内側部分１６ｉ、及び、内側部分１６ｉと外側部分１６ｅとの間に設けられた弾性腕部１６ｇを有し、レンズ保持部材２を光軸方向ＪＤへ移動可能に支持する上側板ばね１６と、を備えている。そして、ケース４は、平面視において矩形状に形成されており、天板部４Ｂの４つの角部には、ベース部材１８側へ窪んだ凹部４Ｃがそれぞれ形成されている。磁石５は、隣り合う２つの凹部４Ｃの間の距離よりも長く延在している。上側板ばね１６は、外側部分１６ｅの一部が凹部４Ｃと磁石５との間に挟持された状態で、外側部分１６ｅの少なくとも別の一部が凹部４Ｃに接着剤で固定されている。例えば、上側板ばね１６は、図１７に示すように、第４左側挟持部分ＣＸ４Ｌのところで第４凹部４Ｃ４の下面（天井面）と第４磁石５Ａ４の上面との間に挟持された状態で、第４角部分１６ｂ４のところで第４凹部４Ｃ４に接着剤で固定されている。
【００９４】
この構成により、レンズ駆動装置１０１は、スペーサによって実現されていた機能をより簡易な構成で実現できる。そのため、レンズ駆動装置１０１は、例えば、スペーサを利用することなく、上側板ばね１６とケース４の天井面とが接触してしまうのを抑制或いは防止できる。その結果、レンズ駆動装置１０１は、レンズ駆動装置１０１のサイズが小さくなるにつれて射出成形又はプレス成形等による作製がますます困難になってきているスペーサを利用せずとも、スペーサがもたらす効果と同様の効果を実現できる。また、レンズ駆動装置１０１は、部品点数の削減、組み立て工数の削減及び製造コストの削減を実現できる。なお、上側板ばね１６の外側部分１６ｅは、凹部４Ｃと磁石５との間に挟持されている部分にも接着剤が設けられ、凹部４Ｃ及び磁石５の少なくとも一方に固定されていてもよい。
【００９５】
上側板ばね１６の外側部分１６ｅは、望ましくは、枠状に形成されている。より望ましくは、外側部分１６ｅは、矩形箱状のケース４と適合するように、矩形枠状に形成されている。そして、外側部分１６ｅは、４つの角部分１６ｂのそれぞれに貫通孔ＴＨが形成されるとともに、凹部４Ｃのうちの、貫通孔ＴＨから露出している部分と、外側部分１６ｅのうちの、貫通孔ＴＨの周囲にある部分と、に接着剤ＡＤ１（図１６（Ｂ）参照。）が付着するように構成されている。この構成により、レンズ駆動装置１０１は、貫通孔ＴＨ及びその周辺に塗布された接着剤ＡＤ１によって上側板ばね１６をケース４に確実に固定できる。
【００９６】
貫通孔ＴＨは、非円形状をなしていてもよい。このように、貫通孔ＴＨは、開口形状が円形状以外の任意の形状となってもよいため、必要に応じて開口面積が大きくなるように構成され得る。その結果、レンズ駆動装置１０１は、ケース４と上側板ばね１６との間の接着強度を高めることができる。
【００９７】
貫通孔ＴＨは、例えば、長方形をなし、その長方形の長辺が外周壁部４Ｇの隅部４Ｒに対向するように配置されていてもよい。すなわち、貫通孔ＴＨは、その長方形の長辺が側板部４Ａに対して斜め（非平行）に延びるように配置されていてもよい。この構成により、レンズ駆動装置１０１は、上側板ばね１６の角部分１６ｂにおいて、貫通孔ＴＨの長手方向の寸法を大きくすることができる。すなわち、レンズ駆動装置１０１は、接着剤ＡＤ１が充填される領域である貫通孔ＴＨの開口面積を大きくすることができる。その結果、レンズ駆動装置１０１は、ケース４と上側板ばね１６との間の接着強度を高めることができる。
【００９８】
上側板ばね１６は、望ましくは、側板部４Ａに対向する辺部分１６ｒを有する。そして、辺部分１６ｒは、望ましくは、側板部４Ａに向かって張り出した部分を有する幅広部ＷＳを含むように構成されている。この構成により、上側板ばね１６は、角部分１６ｂではなく辺部分１６ｒの利用を通じ、ケース４の外周壁部４Ｇに対する位置決めが実現される。そのため、上側板ばね１６は、ケース４の外周壁部４Ｇが、曲板状に形成された隅部４Ｒを含む場合であっても、辺部分１６ｒを側板部４Ａの内壁面に接触させることで、角部分１６ｂと隅部４Ｒとが干渉してしまうのを防止できる。
【００９９】
凹部４Ｃは、天板部４Ｂの角部から側板部４Ａに沿って延在する延在凹部ＥＲを有していてもよい。そして、磁石５の延在方向における端部の、上側板ばね１６との接触面は、上側板ばね１６を挟んで延在凹部ＥＲに対向するように配置されていてもよい。
【０１００】
例えば図１６（Ｂ）に示すように、第４凹部４Ｃ４は、天板部４Ｂの角部から第１側板部４Ａ１及び第４側板部４Ａ４のそれぞれに沿って延在する２つの延在凹部ＥＲを有していてもよい。そして、第１磁石５Ａ１の延在方向における端部の、上側板ばね１６との接触面は、第１前側挟持部分ＣＸ１Ｆに対応する部分を含み、且つ、上側板ばね１６を挟んで延在凹部ＥＲに対向するように配置されていてもよい。この構成により、レンズ駆動装置１０１は、上側板ばね１６の外側部分１６ｅの一部が、延在凹部ＥＲと磁石５とで挟まれた状態を実現できる。その結果、レンズ駆動装置１０１は、レンズ保持部材２の上下動に起因する上側板ばね１６のガタツキをより確実に抑えることができる。
【０１０１】
弾性腕部１６ｇの付け根ＲＴは、磁石５の上面に接するように配置される上側板ばね１６のうちの、隣り合う２つの凹部４Ｃの間にある位置から内側に向かって延びるように構成されていてもよい。例えば、図１８に示すように、第４弾性腕部１６ｇ４の第４付け根ＲＴ４は、第４磁石５Ａ４の上面（Ｚ１側の面）に接するように配置されている第４辺部分１６ｒ４を構成する第４幅広部ＷＳ４のうちの、第３凹部４Ｃ３と第４凹部４Ｃ４との間にある位置から内側に向かって延びるように構成されていてもよい。言い換えれば、第４付け根ＲＴ４は、第４挟持部分ＣＸ４に対応する位置よりも、第４辺部分１６ｒ４の中央に近い位置から内側に向かって延びるように構成されていてもよい。この構成により、例えば、弾性腕部１６ｇの長さの延長が実現される。すなわち、この構成により、弾性腕部１６ｇの設計自由度の向上が実現される。
【０１０２】
本発明の実施形態に係るレンズ駆動装置１０１の製造方法は、上側板ばね１６をケース４の内部に入れて、凹部４Ｃと上側板ばね１６の外側部分１６ｅの一部とを接触させる挿入工程と、隣り合う２つの凹部４Ｃの間の距離よりも長く延在する磁石５をケース４の内部に入れて、外側部分１６ｅの一部を凹部４Ｃと磁石５とで挟持する挟持工程と、磁石５をケース４に接着剤ＡＤ２で固定する固定工程と、を有する。例えば、上述の製造方法は、図１５（Ｂ）に示すように、上側板ばね１６をケース４の内部に入れて、ケース４における第１凹部４Ｃ１と上側板ばね１６における第１角部分１６ｂ１とを接触させる挿入工程と、図１７に示すように、第３凹部４Ｃ３と第４凹部４Ｃ４との間の距離Ｄ３よりも長く延在する第４磁石５Ａ４をケース４の内部に入れて、第４辺部分１６ｒ４を第４凹部４Ｃ４と第４磁石５Ａ４とで挟持する挟持工程と、第４磁石５Ａ４をケース４に接着剤ＡＤ２で固定する固定工程と、を有する。この方法により、スペーサが省略されたレンズ駆動装置１０１が製造される。
【０１０３】
上述の製造方法は、望ましくは、凹部４Ｃと貫通孔ＴＨとに付着するように接着剤ＡＤ１を塗布する塗布工程を更に有する。例えば、上述の製造方法は、図１６（Ａ）及び図１６（Ｂ）に示すように、第４凹部４Ｃ４と第４貫通孔ＴＨ４とに付着するように接着剤ＡＤ１を塗布する塗布工程を更に有する。この方法により、ケース４と上側板ばね１６とが強固に接合されたレンズ駆動装置１０１が製造される。
【０１０４】
上述の固定工程は、望ましくは、磁石５とケース４の側板部４Ａとに付着するように接着剤ＡＤ２を塗布する工程と、接着剤ＡＤ２を硬化させる工程とを含む。例えば、固定工程は、図１７に示すように、第４磁石５Ａ４の下面（Ｚ２側の面）と第４側板部４Ａ４の内壁面とに付着するように接着剤ＡＤ２を塗布する工程と、接着剤ＡＤ２を硬化させる工程とを含む。
【０１０５】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【０１０６】
例えば、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【０１０７】
また、上記実施形態では、下側板ばね２６Ａと延在部３３Ａとを電気的に接続し、且つ、下側板ばね２６Ｂと延在部３３Ｂとを電気的に接続する構成としたが、これに限るものではない。例えば、手振れ補正機能付きのレンズ駆動装置においては、上側板ばねを２つに分割して一対とし、延在部３３Ａ及び延在部３３Ｂのそれぞれと電気的に接続する構成であってもよい。この場合には、レンズ保持部材２の上端部側（Ｚ１側）に切欠部を有するフランジ部が設けられていてもよい。
【０１０８】
また、上記実施形態では、磁石５は、第１側板部４Ａ１〜第４側板部４Ａ４のそれぞれに沿うように４つ配置されている。しかしながら、磁石５は、第１側板部４Ａ１及び第３側板部４Ａ３のそれぞれに沿うように２つだけ配置されていてもよく、第２側板部４Ａ２及び第４側板部４Ａ４のそれぞれに沿うように２つだけ配置されていてもよい。
【符号の説明】
【０１０９】
２・・・レンズ保持部材  ２ｔ・・・突設部  ３・・・コイル  ４・・・ケース  ４Ａ・・・側板部  ４Ｂ・・・天板部  ４Ｃ・・・凹部  ４Ｇ・・・外周壁部  ４ｋ・・・開口  ４ｋｃ・・・切欠部  ４Ｒ・・・隅部  ４ｓ・・・収納部  ５・・・磁石  ６・・・板ばね  ７・・・金属部材  ７Ａ、７Ｂ・・・端子  ７Ｄ・・・接続部材  １２・・・筒状部  １２ｄ・・・台座部  １２ｄｈ・・・窪み  １２ｈ・・・庇部  １２ｊ・・・コイル支持部  １３・・・巻回部  １６・・・上側板ばね  １６ｂ・・・角部分  １６ｅ・・・外側部分  １６ｇ・・・弾性腕部  １６ｉ・・・内側部分  １６ｒ・・・辺部分  １８・・・ベース部材  １８ｋ・・・開口  １８ｔ・・・突設部  ２６、２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｋ・・・切欠部  ２６ｐ・・・第１連結部  ２６ｑ・・・第２連結部  ２６ｔ・・・貫通部  ３３、３３Ａ、３３Ｂ・・・延在部  ３３ｃ・・・接続部  ３３ｋ・・・挿通部  ３３ｍ・・・巻き付け部  ５２・・・フランジ部  ５２ｋ・・・切欠部  ７２、７２Ａ、７２Ｂ・・・保持部  ８２・・・突堤部  ８２ｓ・・・収容部  ８２ｕ・・・内側壁部  ８２ｖ・・・外側壁部  ８２ｗ・・・側壁部  ８２ｚ・・・開放部  １０１・・・レンズ駆動装置  ＡＤ１、ＡＤ２・・・接着剤  
ＣＡ・・・導電性接着剤  ＣＲ・・・角凹部  ＣＸ・・・挟持部分  ＥＲ・・・延在凹部  ＦＳ・・・平坦面  ＪＤ・・・光軸方向  ＬＳ・・・レンズ体  ＭＫ・・・駆動機構  ＮＳ・・・幅狭部  ＲＧ・・・固定側部材  ＲＳ・・・湾曲面  ＲＴ・・・付け根  ＴＨ・・・貫通孔  ＷＳ・・・幅広部
【図１】
2020148972.tif 000003
【図２】
2020148972.tif 000004
【図３】
2020148972.tif 000005
【図４】
2020148972.tif 000006
【図５】
2020148972.tif 000007
【図６】
2020148972.tif 000008
【図７】
2020148972.tif 000009
【図８】
2020148972.tif 000010
【図９】
2020148972.tif 000011
【図１０】
2020148972.tif 000012
【図１１】
2020148972.tif 000013
【図１２】
2020148972.tif 000014
【図１３】
2020148972.tif 000015
【図１４】
2020148972.tif 000016
【図１５】
2020148972.tif 000017
【図１６】
2020148972.tif 000018
【図１７】
2020148972.tif 000019
【図１８】
2020148972.tif 000020